(57)【特許請求の範囲】
【請求項１】
ＮＴＳＣ方式の画像をディジタルデータに変換した画像データが記録されている記録媒体から前記画像データをフレーム単位で順次読み出し、読み出した前記画像データをフレームごとに偶数フィールドと奇数フィールドに分割し、今回読み出したフレームの偶数フィールドが直前に読み出したフレームの偶数フィールドと同一画像か否か判定し、
同一画像ではないと判定したときは、今回読み出したフレームを１／３０秒間隔でノンインターレース表示し、
同一画像と判定したときは、次に読み出すフレームから４フレームの間、前記判定をせずに前記画像データを読み出し、かつ今回読み出したフレームの奇数フィールドと次に読み出すフレームの偶数フィールドから１つのフレームを形成して２フレームを１フレームに間引き、このフレームを含む以後の４フレームを１／２４秒間隔でノンインターレース表示する
ことを特徴とする動画像再生方法。
【請求項２】
請求項１記載の動画像再生方法において、
前記記録媒体に記録された前記画像データは、圧縮符号化されており、読み出し時に復号される
ことを特徴とする動画像再生方法。
【請求項３】
請求項２記載の動画像再生方法において、
前記記録媒体に記録された前記画像データは、フレーム間予測法を用いて圧縮符号化されて、直前のフレームとの差分値で表したデータ又は直前のフレームから動いた部分をベクトルで表したデータを含んでおり、読み出したフレームの偶数フィールドにおけるこれらデータが所定値以内のときに同一画像と判定する
ことを特徴とする動画像再生方法。
【請求項４】
請求項１又は請求項２記載の動画像再生方法において、
同一画像の判定は、読み出したフレームを偶数フィールドと奇数フィールドに分けて記憶する一時記憶手段を２つ設けてフレームが読み出されるごとに交互に記憶するようにし、前記一時記憶手段に記憶された直前に読み出したフレームの偶数フィールドと今回読み出したフレームの偶数フィールドを比較して行い、
ノンインターレース表示は、今回読み出したフレームの偶数フィールドと奇数フィールドとを記憶した前記一時記憶手段から画像データを読み出して表示し、同一画像と判定されたときのみ、次のフレームの画像データを読み出して直前に読み出したフレームを記憶した前記一時記憶手段に上書きした後、今回読み出したフレームを記憶した前記一時記憶手段の奇数フィールドと次のフレームを記憶した前記一時記憶手段の偶数フィールドから画像データを読み出して表示する
ことを特徴とする動画像再生方法。
【請求項５】
請求項３記載の動画像再生方法において、
読み出したフレームを偶数フィールドと奇数フィールドに分けて記憶する一時記憶手段を設け、
ノンインターレース表示は、読み出したフレームの偶数フィールドと奇数フィールドとを記憶した前記一時記憶手段から画像データを読み出して表示し、同一画像と判定されたときのみ、今回読み出したフレームの奇数フィールドのみを前記一時記憶手段の奇数フィールドに記憶した後、次のフレームの画像データを読み出して偶数フィールドのみを前記一時記憶手段の偶数フィールドに記憶し、これらフィールドが記憶された後、前記一時記憶手段から画像データを読み出して表示する
ことを特徴とする動画像再生方法。
【請求項６】
ＮＴＳＣ方式の画像をディジタルデータに変換した画像データが記録されている記録媒体から前記画像データを読み出す記憶装置と、
前記記憶装置を介して前記記録媒体から前記画像データをフレーム単位で順次読み出し、読み出した前記画像データをフレームごとに偶数フィールドと奇数フィールドに分割して出力するビデオデコード部と、
このビデオデコード部の出力先をフレームごとに交互に切り換える画像格納バッファ切換と、
前記画像格納バッファ切換を介して前記ビデオデコード部に接続され、前記ビデオデコード部が出力した前記画像データをフレームごとに偶数フィールドと奇数フィールドに分けて記憶するメモリを２つ有するフレームバッファと、
前記フレームバッファの２つのメモリに記憶された偶数フィールドを比較し、偶数フィールド間の差が所定値以内のときに同一画像と判定し、判定結果を出力する画像比較部と、
この画像比較部の判定結果に基づいて、フレームバッファの２つのメモリから偶数フィールドと奇数フィールドをそれぞれ１つ選択する表示バッファ切替と、この表示バッファ切替により選択されたフレームバッファの偶数フィールドと奇数フィールドから画像データを読み出してノンインターレース方式の信号を出力する表示制御部とを備え、
前記表示バッファ切替は、前記判定結果が入力され、同一画像と判定されたときのみ、直前に読み出したフレームを記憶した前記メモリに次のフレームの画像データが上書きされた後、今回読み出したフレームを記憶した前記メモリの奇数フィールドと次のフレームを記憶した前記メモリの偶数フィールドとを選択し、ほかのときは今回読み出したフレームを記憶した前記メモリの偶数フィールドと奇数フィールドとを選択するように構成され、
前記表示制御部は、前記判定結果が入力され、各フレームの表示間隔を同一画像と判定されたときからの４フレームを１／２４秒間隔とし、ほかのときは１／３０秒間隔とするように構成されている
ことを特徴とする動画像再生装置。
【請求項７】
ＮＴＳＣ方式の画像をディジタルデータに変換した後、フレーム間予測法を用いて圧縮符号化されて、直前のフレームとの差分値で表したデータ又は直前のフレームから動いた部分をベクトルで表したデータを含む画像データが記録されている記録媒体から前記画像データを読み出す記憶装置と、
前記記憶装置を介して前記記録媒体から前記画像データをフレーム単位で順次読み出して復号し、偶数フィールドと奇数フィールドに分割して出力するビデオデコード部と、
読み出したフレームの偶数フィールドにおける、直前のフレームとの差分値で表したデータ又は直前のフレームから動いた部分をベクトルで表したデータが所定値以内のときに同一画像と判定し、判定結果を出力する同一画像判定部と、
前記ビデオデコード部が出力した前記画像データを偶数フィールドと奇数フィールドに分けて記憶するメモリを有するフレームバッファと、
このフレームバッファのメモリに記憶された偶数フィールドと奇数フィールドを読み出してノンインターレース方式の信号を出力する表示制御部とを備え、
前記ビデオデコード部は、前記同一画像判定部が同一画像と判定したときのみ、今回読み出したフレームの奇数フィールドのみを復号して前記メモリに出力した後、次のフレームの画像データを読み出して偶数フィールドのみを復号して前記メモリに出力するよう構成され、
前記表示制御部は、前記判定結果が入力され、各フレームの表示間隔を同一画像と判定されたときからの４フレームを１／２４秒間隔とし、ほかのときは１／３０秒間隔とするように構成されている
ことを特徴とする動画像再生装置。
【発明の詳細な説明】
【０００１】
【発明の属する技術分野】
この発明は、動画像再生方法に関し、特に映画の映像を３２プルダウンして得られたＮＴＳＣフォーマットの画像データをノンインターレース画像としてディスプレイに表示するための動画像再生方法に関する。
【０００２】
【従来の技術】
映画などの映写フィルムに記録された動画を家庭のテレビで視聴するためには、映写フィルムの各フレームの画像をカラーテレビジョン放送などに用いられるＮＴＳＣ方式（Ｎａｔｉｏｎａｌ  Ｔｅｌｅｖｉｓｉｏｎ  Ｓｙｓｔｅｍ  Ｃｏｍｍｉｔｔｅｅ  ｃｏｌｏｒ  ｓｙｓｔｅｍ）の画像信号に変換しなければならない。通常、映画は１秒間に２４フレームの画像を映写することにより連続した動画映像が再生される。このため、映画では１／２４秒ごとに画像が更新されている。これに対し、ＮＴＳＣ方式では１秒間に３０フレームの画像が表示され、しかも１フレームの画像を偶数フィールドと奇数フィールドに分けて１／６０秒ごとに更新することになっている。このため、映画のフレームを単純にＮＴＳＣフォーマットのフレームと１対１に置き換えたのでは、収録時間が本来の長さより２割も少なくなってしまう。
【０００３】
例えば、１分間の映画に含まれるフレームは、２４フレーム×６０秒で１４４０フレームとなるが、これをＮＴＳＣ方式の３０フレーム／秒にそのまま当てはめると映像は４８秒で終わり、動きが早送りになる。このため、映画をＮＴＳＣ方式の映像に変換する場合には、図６の（ａ）から（ｂ）にかけて示すように、映画の１フレームを交互に２フィールドあるいは３フィールドに変換する３２プルダウンと呼ばれる変換方式が使われている。これは、２フレームの画像で５フィールドを生成すれば、ちょうど２４フレームが６０フィールドになるためである。なお、ここで図６（ａ）は１／２４秒ごとに更新される画像フレーム（Ｆｉｌｍ０１〜Ｆｉｌｍ０５）からなる映画を、図６（ｂ）は偶数フィールド（Ｅｖｅｎ  Ｆｉｅｌｄ）と奇数フィールド（Ｏｄｄ  Ｆｉｅｌｄ）に分けられて１／６０秒ごとにフィールドが更新されるＮＴＳＣ方式の画像を示している。
【０００４】
ところで、近年のパーソナルコンピュータの普及に伴い、映画などがＮＴＳＣフォーマットの画像データとして記録された記録ディスクがパーソナルコンピュータで再生されて視聴されるようになってきている。この場合、パーソナルコンピュータのディスプレイはノンインターレース方式で表示するので、ＤＶＤ−ＶｉｄｅｏのようにＮＴＳＣフォーマットで再生する事を前提としたディスクをパーソナルコンピュータで再生する場合は、偶数フィールドのデータと奇数フィールドのデータから１フレームの画像データを作成し、１／３０秒ごとに画像を更新して動画像を再生している。
【０００５】
【発明が解決しようとする課題】
しかしながら、元の映像が映画である場合、記録されている画像データには３２プルダウン処理が施されているため、この画像データをフレームごとにノンインターレース方式のディスプレイに表示すると以下の問題が発生する。第１の問題は、図６（ｃ）のＦｒａｍｅ０３とＦｒａｍｅ０４のような、再生映像にフィールド間のずれが見える現象が発生することである。また、第２の問題は、図６の（ａ）〜（ｃ）に示されるように、Ｆｉｌｍ０１がＦｒａｍｅ０１として表示されてからＦｉｌｍ０２がＦｒａｍｅ０２として表示されるまでの時間が１／３０秒なのに対して、Ｆｉｌｍ０２がＦｒａｍｅ０２として表示されてからＦｉｌｍ０４がＦｒａｍｅ０５として表示されるまでの時間が２／３０秒であるべきところ３／３０秒かかるといったように、画像が時間的に等間隔で再生されない現象が発生することである。
この発明の目的は、映画のように３２プルダウン処理されて記録されたＮＴＳＣフォーマットの画像データをノンインターレース方式のディスプレイで画像ずれや時間ずれのない動画像として再生する方法と装置を提供することである。
【０００６】
【課題を解決するための手段】
上述した課題を解決するために、この発明の動画像再生方法は、ＮＴＳＣ方式の画像をディジタルデータに変換した画像データが記録されている記録媒体から画像データをフレーム単位で順次読み出し、読み出した画像データをフレームごとに偶数フィールドと奇数フィールドに分割し、今回読み出したフレームの偶数フィールドが直前に読み出したフレームの偶数フィールドと同一画像か否か判定し、同一画像ではないと判定したときは、今回読み出したフレームを１／３０秒間隔でノンインターレース表示し、同一画像と判定したときは、次に読み出すフレームから４フレームの間、判定をせずに画像データを読み出し、かつ今回読み出したフレームの奇数フィールドと次に読み出すフレームの偶数フィールドから１つのフレームを形成して２フレームを１フレームに間引き、このフレームを含む以後の４フレームを１／２４秒間隔でノンインターレース表示することによって特徴づけられる。
【０００７】
この動画像再生方法の一構成例は、記録媒体に記録された画像データが圧縮符号化されており、読み出し時に復号される。
この場合、記録媒体に記録された画像データの一構成例は、フレーム間予測法を用いて圧縮符号化されて、直前のフレームとの差分値で表したデータ又は直前のフレームから動いた部分をベクトルで表したデータを含んでおり、読み出したフレームの偶数フィールドにおけるこれらデータが所定値以内のときに同一画像と判定される。
【０００８】
前述した動画像再生方法の別の構成例は、同一画像の判定を、読み出したフレームを偶数フィールドと奇数フィールドに分けて記憶する一時記憶手段を２つ設けてフレームが読み出されるごとに交互に記憶するようにし、一時記憶手段に記憶された直前に読み出したフレームの偶数フィールドと今回読み出したフレームの偶数フィールドを比較して行い、ノンインターレース表示は、今回読み出したフレームの偶数フィールドと奇数フィールドとを記憶した一時記憶手段から画像データを読み出して表示し、同一画像と判定されたときのみ、次のフレームの画像データを読み出して直前に読み出したフレームを記憶した一時記憶手段に上書きした後、今回読み出したフレームを記憶した一時記憶手段の奇数フィールドと次のフレームを記憶した一時記憶手段の偶数フィールドから画像データを読み出して表示する。
【０００９】
前述した動画像再生方法のさらに別の構成例は、読み出したフレームを偶数フィールドと奇数フィールドに分けて記憶する一時記憶手段を設け、ノンインターレース表示を、読み出したフレームの偶数フィールドと奇数フィールドとを記憶した一時記憶手段から画像データを読み出して表示し、同一画像と判定されたときのみ、今回読み出したフレームの奇数フィールドのみを一時記憶手段の奇数フィールドに記憶した後、次のフレームの画像データを読み出して偶数フィールドのみを一時記憶手段の偶数フィールドに記憶し、これらフィールドが記憶された後、一時記憶手段から画像データを読み出して表示する。
【００１０】
この発明の動画像再生装置の一構成例は、ＮＴＳＣ方式の画像をディジタルデータに変換した画像データが記録されている記録媒体から画像データを読み出す記憶装置と、記憶装置を介して記録媒体から画像データをフレーム単位で順次読み出し、読み出した画像データをフレームごとに偶数フィールドと奇数フィールドに分割して出力するビデオデコード部と、このビデオデコード部の出力先をフレームごとに交互に切り換える画像格納バッファ切換と、画像格納バッファ切換を介してビデオデコード部に接続され、ビデオデコード部が出力した画像データをフレームごとに偶数フィールドと奇数フィールドに分けて記憶するメモリを２つ有するフレームバッファと、フレームバッファの２つのメモリに記憶された偶数フィールドを比較し、偶数フィールド間の差が所定値以内のときに同一画像と判定し、判定結果を出力する画像比較部と、この画像比較部の判定結果に基づいて、フレームバッファの２つのメモリから偶数フィールドと奇数フィールドをそれぞれ１つ選択する表示バッファ切替と、この表示バッファ切替により選択されたフレームバッファの偶数フィールドと奇数フィールドから画像データを読み出してノンインターレース方式の信号を出力する表示制御部とを備え、表示バッファ切替は、判定結果が入力され、同一画像と判定されたときのみ、直前に読み出したフレームを記憶したメモリに次のフレームの画像データが上書きされた後、今回読み出したフレームを記憶したメモリの奇数フィールドと次のフレームを記憶したメモリの偶数フィールドとを選択し、ほかのときは今回読み出したフレームを記憶したメモリの偶数フィールドと奇数フィールドとを選択するように構成され、表示制御部は、判定結果が入力され、各フレームの表示間隔を同一画像と判定されたときからの４フレームを１／２４秒間隔とし、ほかのときは１／３０秒間隔とするように構成されている。
【００１１】
この発明の動画像再生装置の別の構成例は、ＮＴＳＣ方式の画像をディジタルデータに変換した後、フレーム間予測法を用いて圧縮符号化されて、直前のフレームとの差分値で表したデータ又は直前のフレームから動いた部分をベクトルで表したデータを含む画像データが記録されている記録媒体から画像データを読み出す記憶装置と、記憶装置を介して記録媒体から画像データをフレーム単位で順次読み出して復号し、偶数フィールドと奇数フィールドに分割して出力するビデオデコード部と、読み出したフレームの偶数フィールドにおける、直前のフレームとの差分値で表したデータ又は直前のフレームから動いた部分をベクトルで表したデータが所定値以内のときに同一画像と判定し、判定結果を出力する同一画像判定部と、ビデオデコード部が出力した画像データを偶数フィールドと奇数フィールドに分けて記憶するメモリを有するフレームバッファと、このフレームバッファのメモリに記憶された偶数フィールドと奇数フィールドを読み出してノンインターレース方式の信号を出力する表示制御部とを備え、ビデオデコード部は、同一画像判定部が同一画像と判定したときのみ、今回読み出したフレームの奇数フィールドのみを復号して前記メモリに出力した後、次のフレームの画像データを読み出して偶数フィールドのみを復号してメモリに出力するよう構成され、表示制御部は、判定結果が入力され、各フレームの表示間隔を同一画像と判定されたときからの４フレームを１／２４秒間隔とし、ほかのときは１／３０秒間隔とするように構成されている。
【００１２】
【発明の実施の形態】
以下に図を用いて発明の実施の形態を説明する。
はじめに、この発明の動画像再生方法の第１の実施の形態を説明する。図１は、この動画像再生方法を適用した動画像再生装置の構成を示すブロック図である。図１を参照すると、この動画像再生装置は、記憶装置１０と、ビデオデコード部１１と、画像格納バッファ切替１２と、フレームバッファ１３と、表示バッファ切替１４と、画像比較部１５と、表示制御部１６とを備えており、出力が表示器１７に接続されている。
【００１３】
記憶装置１０は、映画などの２４フレーム／秒の画像が３２プルダウン方式で処理されて得られたＮＴＳＣ画像データをディジタルデータに変換して記録した記録媒体からディジタル化されたＮＴＳＣ画像データを読み出すように構成されている。この場合、ディジタル化されたＮＴＳＣ画像データは、１フレームごとにＭＰＥＧ（Ｍｏｖｉｎｇ  Ｐｉｃｔｕｒｅ  Ｅｘｐｅｒｔｓ  Ｇｒｏｕｐ）方式等で圧縮符号化されているが、非圧縮のままでもよいことはいうまでもない。なお、記憶装置１０が用いる記録媒体は、半導体メモリ、磁気ディスク、磁気テープ、光磁気ディスク、光ディスクなど何でもよく、記憶装置１０に内蔵されたものでも、記憶装置１０から取り外し自在に構成されたものでもよい。また、再生専用、読み書き可能のいずれでもよい。
【００１４】
ビデオデコード部１１は、記憶装置１０から圧縮された画像データを読み出して１フレームごとに復号し、復号した画像データを偶数フィールドと奇数フィールドに分割して出力する。なお、非圧縮データの場合は、復号することなく１フレームごとに偶数フィールドと奇数フィールドに分割して出力する。フレームバッファ１３は、ビデオデコード部１１から出力される画像データを格納するために２組のメモリを備えており、各メモリは画像データの偶数フィールドが記憶される偶数フィールド用バッファ（Ｅｖｅｎ１，Ｅｖｅｎ２）と画像データの奇数フィールドが記憶される奇数フィールド用バッファ（Ｏｄｄ１，Ｏｄｄ２）とから構成されている。
【００１５】
画像格納バッファ切替１２は、フレームバッファ１３が常に直前に読み出して復号した画像データと今回読み出して復号した画像データを格納できるように、１フレーム分の画像データが読み出されて復号されるごとにビデオデコード部１１から出力される画像データの格納先をフレームバッファ１３の２組のメモリ間で交互に切り替える。画像比較部１５は、フレームバッファ１３内の２つの偶数フィールド用バッファ（Ｅｖｅｎ１，Ｅｖｅｎ２）に記憶されている画像データを比較し、同一画像か否かを判定して判定結果を表示バッファ切替１４と表示制御部１６に出力する。
【００１６】
表示バッファ切替１４は、画像比較部１５の判定結果に基づいて、フレームバッファ１３から表示する偶数フィールド用バッファ（Ｅｖｅｎ１，Ｅｖｅｎ２）と奇数フィールド用バッファ（Ｏｄｄ１，Ｏｄｄ２）をそれぞれ選択する。表示制御部１６は、表示バッファ切替１４により選択されたフレームバッファ１３中の偶数フィールド用バッファ（Ｅｖｅｎ１，Ｅｖｅｎ２）と奇数フィールド用バッファ（Ｏｄｄ１，Ｏｄｄ２）から画像データを読み出してノンインターレース方式に対応した信号を表示器１７に出力する。また、表示制御部１６は、画像比較部１５の判定結果に基づいて、画像データの各フレームの表示間隔を１／３０秒間隔と１／２４秒間隔のいずれかに制御する。この場合、同一画像と判定されたときからの４フレームを１／２４秒間隔とし、ほかのときは１／３０秒間隔とするように構成されている。表示器１７は、１／３０秒間隔と１／２４秒間隔の両方に対応したノンインターレース方式のディスプレイである。
【００１７】
次に、図１〜図３を参照してこの実施の形態の動作について詳細に説明する。図２において、ステップＳ０１では、画像格納バッファ切替１２をフレームバッファ１３のＥｖｅｎ１，Ｏｄｄ１側に設定する。
ステップＳ０２では、画像格納バッファ切替１２を逆方向に切り替える。この場合、１回目はＥｖｅｎ２，Ｏｄｄ２側に切り替える事になる。
ステップＳ０３では、ビデオデコードが行われる。この場合、ビデオデコード部１１が記憶装置１０から圧縮された画像データを読み込んで１フレーム分の画像を復号した後、復号した画像データを偶数フィールドと奇数フィールドに分割して出力し、画像格納バッファ切替１２で選択されたフレームバッファ１３内の偶数フィールド用バッファと奇数フィールド用バッファに格納する。
【００１８】
ステップＳ０４では、画像比較部１５が今回の復号で格納された偶数フィールドのデータと前回の復号で格納された偶数フィールドのデータすなわちＥｖｅｎ１内のデータとＥｖｅｎ２内のデータを比較する。画像比較部１５では画像データを比較する際に、データが完全に一致しなくても、ある程度近い値ならば同じと判定するようにしてよい。これは、３２プルダウン後の映像をデジタルデータに変換する際のノイズや圧縮誤差などによって、復号した画像データが正確に同一データとならないことがあるためである。
【００１９】
画像比較部１５で同一画像でないと判定された場合は、現在再生している画像が元々ＮＴＳＣデータであることを示しているので、１／３０秒間隔で画像を更新させるためステップＳ０５以降の処理を行う。また、画像比較部１５で同一画像であると判定された場合は、現在再生している画像が元々は映画のデータであり、３２プルダウンされたＮＴＳＣデータであることを示しているので、１／２４秒間隔で画像を更新させるためステップＳ０７以降の処理を行う。このようにして、３２プルダウンされたＮＴＳＣデータを識別する。
【００２０】
画像比較部１５で同一画像でないと判定された場合は、ステップＳ０５で表示バッファ切替１４のスイッチを切り替えて、今回格納したバッファを表示バッファに設定し、ステップＳ０６で前回の画像表示から１／３０秒後に表示するように表示制御部１６を設定する。この後、ステップＳ０２へ戻り、選択された映像が終了するまで処理を続ける。
【００２１】
画像比較部１５で同一画像である判定された場合は、今回復号した画像をすぐ表示するのではなく、次に復号する画像データと合わせて表示することになる。まず、ステップＳ０７で画像バッファ切替１２を逆方向に切り替える。ステップＳ０８ではビデオデコード部１１で記憶装置１０から圧縮された画像データを読み込み、１フレーム分の画像を復号し偶数フィールド（Ｅｖｅｎ）と奇数フィールド（Ｏｄｄ）に分けて格納する。ステップＳ０９では今回格納した偶数フィールド（Ｅｖｅｎ）のデータと前回格納した奇数フィールド（Ｏｄｄ）のデータとを表示バッファに設定し、ステップＳ１０では前回の画像表示から１／２４秒後に表示するように表示制御部１６を設定する。
【００２２】
ステップＳ１１からステップＳ１４はステップＳ０１からステップＳ０６と同様に画像を復号し表示する。ただし、この場合は画像比較は行なわず、表示間隔を１／２４秒として表示制御部１６を設定する。ステップＳ１１からステップＳ１４の処理を３回繰り返し、３フレーム分を１／２４秒間隔で表示する。ステップＳ１５では、３フレーム分の処理が終了したか確認し、終了したらステップＳ１６以降の処理を行う。
【００２３】
ステップＳ１６〜ステップＳ１８はステップＳ０２〜ステップＳ０４と同様に画像を復号し、再度画像比較部１５で画像の比較を行う。ここで、同一画像である判定された場合は、前述のように３２プルダウンされたＮＴＳＣデータであることを示しているので、ステップＳ０７以降の処理を行う。また、同一画像でないと判定された場合は、元々ＮＴＳＣデータであることを示しているので、１／３０秒間隔で画像を更新させるためステップＳ０５以降の処理を行う。
【００２４】
これによって、図３（ｃ）に示すように３２プルダウンされたＮＴＳＣデータのずれが生じたフレームから不要なフィールドを間引いて元の画像と同じフレームが生成され、かつ元の映像と同じ時間間隔で画像が更新されるので、映像がスムーズに再生できる。また、再生中に一定間隔で画像の判定をして、フィールドの間引き処理や画像の更新間隔の切り替えを行うことができるので、映像データの編集などが行われて、元の画像がＮＴＳＣのデータと３２プルダウンされた映画のデータとが入り交じった映像になっていても、スムーズに再生できる。
【００２５】
次に、この発明の動画像再生方法の第２の実施の形態を説明する。この実施の形態の動画像再生方法は、ＮＴＳＣ画像データがＭＰＥＧ方式等で圧縮符号化されている場合にのみ適用される。図４は、この動画像再生方法を適用した動画像再生装置の構成を示すブロック図である。図４を参照すると、この動画像再生装置は、記憶装置４０とビデオデコード部４１とフレームバッファ４２と表示制御部４３とを備えており、ビデオデコード部４１内に同一画像判定部４４が設けられている。また、この動画像再生装置の出力が表示器４５に接続されている。
【００２６】
記憶装置４０は、第１の実施の形態と同じものであり、ＭＰＥＧ方式等で圧縮符号化されたＮＴＳＣ画像データが記録された記録媒体からディジタル化されて圧縮符号化されたＮＴＳＣ画像データを読み出すように構成されている。ビデオデコード部４１は、記憶装置４０から圧縮符号化された画像データを読み込み、１フレームごとに復号する。ＭＰＥＧ方式等の圧縮方式には、前のフレームとの差分値を圧縮したデータや前のフレームから動いた部分をベクトルで表したデータが含まれているので、同一画像判定部４４が復号時にこれらのデータを確認し、前のフレームとの差分値が小さく、動きの少ない場合は同一画像であると判定する。
【００２７】
この判定はフレーム内の偶数フィールドのみで行い、同一画像と判定した場合は奇数フィールドのみを復号し、フレームバッファ４２内の奇数フィールド用バッファ（Ｏｄｄ）に格納する。また、前のフレームデコード時に同一画像であると判定されていた時は、偶数フィールドのみをデコードし、フレームバッファ４２内の偶数フィールド用バッファ（Ｅｖｅｎ）に格納する。復号時に同一画像でないと判定した場合は偶数フィールドと奇数フィールドとを復号してフレームバッファ４２の偶数フィールド用バッファ（Ｅｖｅｎ）と奇数フィールド用バッファ（Ｏｄｄ）にそれぞれ格納する。
【００２８】
表示制御部４３はフレームバッファ４２の偶数フィールド用バッファ（Ｅｖｅｎ）と奇数フィールド用バッファ（Ｏｄｄ）から画像データを読み出してノンインターレース方式に対応した信号を表示器４５に出力する。また、表示制御部４３は、ビデオデコード部４１内の同一画像判定部４４の判定結果に基づいて、画像データの各フレームの表示間隔を１／３０秒間隔と１／２４秒間隔のいずれかに制御する。この場合、同一画像と判定されたときからの４フレームを１／２４秒間隔とし、ほかのときは１／３０秒間隔とするように構成されている。表示器４５は、第１の実施の形態と同じものであるので、説明を省略する。
【００２９】
次に、図４〜図５を参照してこの実施の形態の動作について詳細に説明する。図５において、ステップＳ５１ではビデオデコード部４１が記憶装置４０から１フレーム分の圧縮された画像データを読み込み、同一画像判定部４４が読み込んだデータの偶数フィールドについて直前のフレームとの差分値を圧縮したデータや直前のフレームから動いた部分をベクトルで表したデータから同一画像の判定を行う。
【００３０】
この場合、直前のフレームの偶数フィールドと復号中の偶数フィールドの差分値が小さく、動きの少ない場合は同一画像であると判定し、奇数フィールドのデータのみを復号して奇数フィールド用バッファ（Ｏｄｄ）に格納する。また、同一画像でないと判定した場合は、１フレーム分の画像を復号して２つのフィールドに分け、偶数フィールドのデータは偶数フィールド用バッファ（Ｅｖｅｎ）に、奇数フィールドのデータは奇数フィールド用バッファ（Ｏｄｄ）にそれぞれ格納する。ステップＳ５２は同一画像の判定による分岐であり、同一画像でないと判定した場合は、ステップＳ５３で前回の画像表示から１／３０秒後に表示するように表示制御部４３を設定する。この後、ステップＳ５１へ戻り、選択された映像が終了するまで処理を続ける。
【００３１】
また、同一画像であると判定した場合は、ステップＳ５４でビデオデコード部４１が記憶装置４０から１フレーム分の圧縮された画像データを読み込み、偶数フィールドのみを復号して偶数フィールド用バッファ（Ｅｖｅｎ）に格納する。ステップＳ５５では前回の画像表示から１／２４秒後に表示するように表示制御部４３を設定する。ステップＳ５６からステップＳ５７はステップＳ５１からステップＳ５３と同様に画像を復号し表示する。ただし、この場合は画像判定は行わず、表示間隔が１／２４秒となるように表示制御部４３を設定する。ステップＳ５６からステップＳ５７の処理を３回繰り返し、３フレーム分を１／２４秒間隔で表示する。
【００３２】
ステップＳ５８では、３フレーム分の処理が終了したか確認し、終了したらステップＳ５９以降の処理を行う。ステップＳ５９〜ステップＳ６０はステップＳ５１〜ステップＳ５２と同様に画像の復号及び画像判定を行う。ここで、同一画像である判定された場合は、３２プルダウンされたＮＴＳＣデータであることを示しているので、ステップＳ５４以降の処理を行う。また、同一画像でないと判定された場合は、元々ＮＴＳＣデータであることを示しているので、１／３０秒間隔で画像を更新させるためステップＳ５３以降の処理を行う。
【００３３】
この実施の形態でも、第１の実施の形態と同様の効果が得られる。また、ＭＰＥＧ方式等で圧縮されたデータに含まれている、前のフレームとの差分値を圧縮したデータや前のフレームから動いた部分をベクトルで表したデータを用いて同一画像判定を行うので、比較のために前のフレームのデータを保持する必要がなく、回路構成を簡略にできるという効果が得られる。
【００３４】
【発明の効果】
以上説明したように、この発明の動画像再生方法は、ＮＴＳＣ方式の画像をディジタルデータに変換した画像データが記録されている記録媒体から画像データをフレーム単位で順次読み出し、読み出した画像データをフレームごとに偶数フィールドと奇数フィールドに分割し、今回読み出したフレームの偶数フィールドが直前に読み出したフレームの偶数フィールドと同一画像か判定し、同一画像ではないと判定したときは、今回読み出したフレームを１／３０秒間隔でノンインターレース表示し、同一画像と判定したときは、次に読み出すフレームから４フレームの間、判定をせずに画像データを読み出し、かつ今回読み出したフレームの奇数フィールドと次に読み出すフレームの偶数フィールドから１つのフレームを形成して２フレームを１フレームに間引き、このフレームを含む以後の４フレームを１／２４秒間隔でノンインターレース表示するようにしたので、３２プルダウンされたＮＴＳＣデータから不要なフィールドを間引いて元の映画と同様に秒間２４フレームで再生でき、スムーズな動画像が表示されるという効果を有する。また、再生中に映像の判定を行っているため、編集などによって３２プルダウンされたＮＴＳＣデータと通常のＮＴＳＣデータとが混在した映像であってもそれぞれを識別してスムーズに再生できるという効果を有する。また、映像の判定結果により間引かれて表示されない映像は２フィールドのみで、その他は復号単位の偶数フィールド／奇数フィールドの組と表示するフレームの偶数フィールド／奇数フィールドの組が同じため、映像の判定が間違った場合でも、失われる画像は２フィールド分（１フレーム）だけで済み、画質に影響を与えないという効果を有する。
【図面の簡単な説明】
【図１】第１の実施の形態の動画像再生方法を適用した動画像再生装置の構成を示すブロック図である。
【図２】図１の動画像再生装置の動作を説明するフローチャートである。
【図３】この発明の動画像再生方法を説明する説明図である。
【図４】第２の実施の形態の動画像再生方法を適用した動画像再生装置の構成を示すブロック図である。
【図５】図４の動画像再生装置の動作を説明するフローチャートである。
【図６】従来の動画像再生方法を説明する説明図である。
【符号の説明】
１０，４０…記憶装置、１１，４１…ビデオデコード部、１２…画像格納バッファ切替、１３，４２…フレームバッファ、１４…表示バッファ切替、１５…画像比較部、１６，４３…表示制御部、１７，４５…表示器、４４…同一画像判定部。
【図１】
0003551887.tif 000002
【図２】
0003551887.tif 000003
【図３】
0003551887.tif 000004
【図４】
0003551887.tif 000005
【図５】
0003551887.tif 000006
【図６】
0003551887.tif 000007